(57)【要約】【課題】素材となる紙の使用量を節約しながら、強度特性、特にパレットに側方から及ぼされる外力に対する抵抗力を、大幅に向上させた紙製パレットを提供する。【解決手段】天板と底板との間の複数箇所に、スペーサーを挟み込んだ構成を備えるものに於いて、  天板は、芯板を囲い板でくるみ込んだ構成を備え、底板の縁端には、パレットの側壁となる側面板を立上状に延設し、この側面板の上端には、天板の上面に重合させる被覆板を延設したことを特徴とする。  そして、スペーサーは、縦向きの複数本の紙管の束を、筒状カバー体の内空部に接着状態で包み込んだ構成を備えることを特徴とする。  更に、パレットの上面となる被覆板の上には、載置した紙製の梱包箱を挟み込んでズレ止めする為の、一組以上のズレ止片を備えた、板紙製のズレ止用部材を重合させ、ズレ止片には、梱包箱の側壁に設けた切れ目に差し込ませる差込片を付設したことも特徴とする。【選択図】      図１
2005263259.tif 000002
【特許請求の範囲】
【請求項１】
天板と底板との間の複数箇所に、スペーサーを挟み込んだ構成を備えるものに
於いて、
天板は、芯板を囲い板でくるみ込んだ構成を備えており、
底板の縁端には、パレットの側壁となる側面板を立上状に延設し、この側面板の上端には、天板の上面の全面乃至は周辺部に重合させる被覆板を延設したことを特徴とする紙製パレット。
【請求項２】
天板は、芯板を囲い板でくるみ込んだ構成を備えており、
底板の縁端には、パレットの側壁となる側面板を立上状に延設し、天板の上面に重合させた被覆板の縁端にも、パレットの側壁となる側面板を垂下状に延設したことを特徴とする請求項１記載の紙製パレット。
【請求項３】
スペーサーは、縦向きにした複数本の紙管の束を、筒状カバー体の内空部に接着状態で包み込んだ構成を備えることを特徴とする請求項１又は２記載の紙製パレット。
【請求項４】
紙製パレットの上面には、その上に載置した紙製の梱包箱を挟み込んでズレ止めする為の、板紙製で、一組以上のズレ止片を備えたズレ止用部材を重合させてあり、
各ズレ止片には、梱包箱の側壁に設けた切れ目に差し込ませる為の、差込片を付設したことを特徴とする請求項１乃至３のいずれかに記載の紙製パレット。
【発明の詳細な説明】
【技術分野】
【０００１】
本発明は、先行技術のものに比べて、強度特性、特に側方から及ぼされる外力に耐える得る特性を顕著に向上させた紙製パレットに関する。
【背景技術】
【０００２】
フォークリフトを用いた荷役作業に使われる従来のパレットは、一般に木で作られていた。  
然し、貿易品の場合には、輸入国側が、木材中に潜む害虫の同時輸入を極度に恐れるので、かなりの経費と時間とを費やして、木製パレットを薫蒸処理しなければならなかった。
その為、昨今では、害虫の輸入・輸出の恐れのない、段ボール等を使った紙製パレットが様々に開発されている。
【０００３】
然しながら、この紙製パレットにも、尚、改善の余地が残されている。
と言うのは、パレットに載せられた梱包箱を、荷役・輸送中に、パレットの上で梱包箱がずれ動き易い問題に対する解決策が不十分だった。
又、強度が不十分な段ボール等の板紙を素材として、木製パレットに匹敵する頑丈な紙製パレットを作ろうとすると、従来の構造では、紙板の使用量がかなり増えてしまうのも問題だった。
【０００４】
そこで、本願発明者は、パレット上に載置した梱包箱が、荷役作業や輸送中にずれ動く問題の解決策をより改善すると共に、紙の使用量を極力節約しながら、紙製パレットの強度特性を大幅に向上させた、新たなタイプの紙製パレットを創案し、先に、「特願２００１−２３１２７」として、特許出願済みである。
【０００５】
【特許文献１】特開平６−３２１２４０
【特許文献２】特開平８−１０４３３２
【特許文献３】特開平２００２−２２５８６８（特願２００１−２３１２７）
【発明の開示】
【発明が解決しようとする課題】
【０００６】
上記先願発明「特願２００１−２３１２７」の紙製パレットは、既に製品化されて使用実績を重ねている。
ところが、この改良されたパレットも、フォークリフトを使って荷役作業する際に、かなり手荒に扱われた場合には、尚、強度上の問題があることが判った。
【０００７】
即ち、フォークリフトのフォークの先端や、フォークの根元の部分をパレットの側面にぶち当てたり、パレットがフォークからはみ出た部分が、傾いて路面に接触した状態になっても、そのまま引きずって走行を続けてしまうことも稀ではなかった。
この様なひどい扱いを受ければ、紙製パレットは、その寿命を大幅に短縮されざるを得ない。
【０００８】
そこで、本発明の目的は、先願発明「特願２００１−２３１２７」の紙製パレットの構造をベースとしながら、強度特性、なかんずく、荷役作業中のパレットに、その側方から及ぼされる何等かの外力に対する抵抗力を、格段に向上させた紙製パレットを提供するにある。
【課題を解決するための手段】
【０００９】
上記の目的を達成する為の、本発明による紙製パレットは、
天板と底板との間の複数箇所に、スペーサーを挟み込んだ構成を備えるものに
於いて、
天板は、芯板を囲い板でくるみ込んだ構成を備えており、
底板の縁端には、パレットの側壁となる側面板を立上状に延設し、この側面板の上端には、天板の上面の全面乃至は周辺部に重合させる被覆板を延設したことを特徴とする。
或いは、底板の縁端には、パレットの側壁となる側面板を立上状に延設し、天板の上面に重合させた被覆板の縁端にも、パレットの側壁となる側面板を垂下状に延設する様にしてもよい。
そして、スペーサーは、縦向きにした複数本の紙管の束を、筒状カバー体の内空部に接着状態で包み込んだ構成を備えることも特徴とする。
更に、紙製パレットの上面には、その上に載置した紙製の梱包箱を挟み込んでズレ止めする為の、板紙製で、一組以上のズレ止片を備えたズレ止用部材を重合させてあり、
各ズレ止片には、梱包箱の側壁に設けた切れ目に差し込ませる為の、差込片を付設したことも特徴とする。
【発明の効果】
【００１０】
本発明による紙製パレットは、以下に列挙した如き実用上の優れた長所を備えている。
（ａ）従来技術による紙製パレットは、フォーリフトで手荒に扱われると、パレットに側方から及ぼされる強大な外力によって、スペーサーが変形したり、天板や底板との接合面で剥離し易かったが、本発明による紙製パレットは、その構造上の特徴からして、特に、耐側圧強度を顕著に向上させられる。
（ｂ）即ち、芯板を囲い板でくるみ込んだ構造を備える天板と、スペーサーとを、一連に連なった底板、側面板及び被覆板によって、更に、二重に、接着状態でくるみ込むことによって、耐変形強度を大幅に高められる。
（ｃ）又、スペーサーも、縦向きにした複数本の紙管の束を、筒状カバー体の内空部に接着状態で包み込む構造としたことによって、耐側圧強度が著しく増大する。
（ｄ）紙製パレットの上面に一体に設けた、ズレ止用部材によって、その上に載置した段ボール製の梱包箱を、極めて簡単・迅速・確実にズレ止状態で固定させられる。且つ、簡単・迅速に固定解除出来る。
（ｅ）紙だけで作られた紙製パレットは、用済み後に回収して、再生紙として反復活用出来る。
（ｆ）木材を使ったパレットの様に、木材中に潜む害虫が一緒に外国に運ばれてしまうのを防ぐ為の、多くの手間と経費を要する薫蒸処理が不要になる。
（ｇ）木材資源を浪費しない。更に、釘打ち作業に伴う、様々な作業上の不都合や、経済的不利も解消する。
【発明を実施するための最良の形態】
【００１１】
以下に、本発明の一実施例に就いて、図１〜図８を参照しながら説明する。
図１は、その上面に、板紙製のズレ止用部材Ｂを一体に取付けた、この実施例の紙製パレットＡを、部分的に分解し、且つ、部分的に破断して示した分解斜視図であり、図２は、紙製パレットＡの一構成要素であるスペーサー３０の外観斜視図、及びそのコアー材となる角筒状の紙管を示した斜視図である。
【００１２】
図３は、その上面にズレ止用部材Ｂを一体に取付けた、紙製パレットＡの斜視図であり、図４は、ズレ止用部材Ｂの上に、段ボール製の梱包箱１００を、ズレ止め状態で載置した有様を示す斜視図である。
【００１３】
図１に示した様に、紙製パレットＡは、所定間隔を隔てて対置した天板１０と底板２０との隙間の複数箇所に、スペーサー３０を、フォークリフトのフォーク（図示略）を差し込む為の差込孔ｂを設けられる配置を以て、散在状に挟み込ませた形態を備えている。
【００１４】
天板１０は、複数枚の段ボールの積層体から成る芯板１１を、扁平角筒状に折り曲げた囲い板１２で、くるみ込んだ構造を備えている。
底板２０の左右両サイドの縁端には、紙製パレットＡの側壁となる側面板２１を立上状に延設し、更に、この側面板２１の上端には、天板１０の上面に重合させる被覆板１３を延設している。
従って、被覆板１３の左右両サイドの縁端には、側面板２１の上端が夫々一体に連なった状態になっている。
【００１５】
その為、図１に示し、又、紙製パレットＡの模式的縦断面図としての、後述する図８に示した様に、天板１０と、その下面に分散状態で配置された複数個のスペーサー３０とは、扁平角筒状に一連に連なった、底板２０、両側面板２１，２１、及び被覆板１３によって、くるみ込まれた状態になる。
このくるみ込み状態で、天板１０、底板２０、各スペーサー３０、被覆板１３、及び側面板２１の相互の当接面の総てが、接着手段によって強固に接合されている。
【００１６】
図１に示した様に、側面板２１には、フォークリフトのフォーク（図示略）を差し込む為の差込孔ｂを、複数箇所に設けている。
底板２０には、その複数箇所に方形の刳抜孔２２を設けている。
又、底板２０の下面には、両側端と真ん中の３箇所に、紙製の補強帯板２３を貼着させている。
【００１７】
補強帯板２３は、パレット搬送用のローラコンベア（図示略）のローラ軸に対して直交向きになる様に貼着させている。これによって、紙製パレットＡの底面がローラに押されて凹む恐れが無くなり、スムーズに搬送出来る。
図１中の真ん中の補強帯板２３は、底板２０の継ぎ目ａを塞ぐ様に貼着させることによって、この部分を補強する役割も果たしている。
【００１８】
次に、この実施例のスペーサー３０は、図２に示した様に、縦向きにした２本の角筒状の紙管３１を、横並びに束ねたうえ、帯状板紙を角筒状に折曲させた筒状カバー体３２の内空部に、接着状態で包み込ませた構成を備えている。
筒状カバー体３２の１つの側面は板紙を２枚重ねにして、耐側圧強度を高めさせている。  
【００１９】
更に、筒状カバー体３２の別の１面には、図２に示した様に、コ字形切れ目３３を、その両脚端が角筒の稜部に接する配置で設けている。
コ字形切れ目３３に囲まれた部分は、上記折曲の際に取り残されて、小突条３４を自づから形成させることになる。
この小突条３４は、天板１０又は底板２０の所定位置に設けた挿嵌孔（図示略）に嵌め込むことによって、スペーサー３０の取付位置決めや、ズレ止め等の機能を果たしてくれる。
【００２０】
この様な構造を備えるスペーサー３０の強度特性に就いて、既述の先願発明「特願２００１−２３１２７」の紙製パレットで用いた、図９に示した形態のスペーサー５０との比較テストを行った。
この先行技術のスペーサー５０は、図示の様に、紙管を側方から押し潰して、上面視ほぼＬ形に変形させた、２本の縦向きのコア材５１を、板紙製の角筒状カバー体５２でくるみ込んだ構造を備えている。
【００２１】
上記比較テストの結果として、縦方向の耐圧縮強度に関しては、両スペーサー３０，５０の間に、殆ど異差は認められなかった。
然し、肝心の、側方からの外力に対する耐変形強度に就いては、本発明によるスペーサー３０は、先行技術のスペーサー５０に比べて、５倍以上もの強度を備えていることが確かめられた。
【００２２】
尚、スペーサー３０の構成部材としての紙管３１の形状は、四角筒に限らず、三角筒、円筒、或いは、ハニカム状体等であってもよい。
【００２３】
ところで、パレットは、その上に載せた荷物と一緒に、世界中の各国間を運搬される。そして、地域によっては、冒頭に記した様に、フォークリフトを用いた荷役作業中に、パレットがかなり手荒に扱われることも稀ではない。
例えば、フォークの先端や根元の部分を、パレットの側面に強くぶち当てたり、
或いは、パレットがフォークからはみ出た部分が、傾いた状態で路面に接触していても、そのまま引きずりながら走行を続けることも起こり勝ちである。
【００２４】
然し、紙製パレットＡは、紙の使用量を極力低く押さえながら、既述の如く、著しく頑強な構造になっているので、上記の様に手荒に扱われて、特に、側方から強大な変形作用力が及ぼされた場合でも、これに十分耐えることが出来る。
【００２５】
図８に、紙製パレットＡの縦断面構造に就いての、幾つかの変形事例（ａ）〜（ｅ）を模式的縦断面図として示した。（ａ）は、上記実施例のものである。
（ｂ）では、紙製パレットＡが路面を引きずられた場合等を考慮して、継ぎ目ａを、被覆板１３側に設けている。（ｃ）では、被覆板１３が、天板１０の周縁部だけを覆い、真ん中部分は省いている。（ｄ）では、紙製パレットＡの一方の側面を覆う側面板２１を、２枚重ねにし、（ｅ）では、左右の両側面共、２枚重ねにして耐側圧強度の向上を図っている。
【００２６】
次に、この実施例では、紙製パレットＡの上面に、図４に示した様に、パレット上に載置した紙製の梱包箱１００を、その両サイドから挟み付けてズレ止めする為の、図１に示したズレ止用部材Ｂを、固着状態で重合させている。
この実施例のズレ止用部材Ｂは、天板１０と同じ大きさの矩形板紙４０の対向する１組の側端の夫々に、上向きに折曲されるズレ止片４１を、折り目ｃを介して延設した形態を備えている。
【００２７】
一方、梱包箱１００には、図４に示した様に、ズレ止片４１が当接される側壁面１０１の下側の両隅角部の近くに、図５に示した様に、短い斜め切れ目１０２を設けている。
そして、図１に示した様に、台形をしたズレ止片４１の両斜辺には、斜め切れ目１０２に差し込ませる為の差込片４２を、折り目ｄを介して延設している。
【００２８】
更に、梱包箱１００には、図７に示した様に、側壁１０１の内壁面に当接させる為の、図６に示した様に、矩形段ボールを上面視コ字形に折曲させた、２枚の内壁板２００を付属させている。
この内壁板２００は、図7に示した様に、差込片4２を、斜め切れ目１０２に挿通させたうえ、梱包箱１００の内壁面に当接させるべく折り曲げた状態を固定し、且つ、梱包箱１００を補強する役割を果たすものである。
【００２９】
尚、ズレ止片４１は、矩形板紙４０の四辺のすべてに連設してもよい。又、差込片４２は、ズレ止片４１の傾斜した縁端に延設するのではなくて、ズレ止片４１の一部を切り起こす様にして設けてもよい。
そして、差込片４２の折曲状態を固定させる手段としては、内壁板２００に代えて、この箇所に粘着テープを貼り付ける等してもよい。
【図面の簡単な説明】
【００３０】
【図１】本発明の一実施例を示すもので、紙製パレットを部分的に分解し、且つ、部分的に破断して示した斜視図、及びズレ止用部材の斜視図である。
【図２】同上、スペーサーの外観斜視図、及びコア材となる紙管の斜視図である。
【図３】同上、ズレ止用部材をその上面に固着させた状態での、紙製パレットの外観斜視図である。
【図４】同上、紙製の梱包箱が、ズレ止用部材によりズレ止めされた状態で、紙製パレット上に載置された有様を示す斜視図である。
【図５】同上、蓋フラップを開いた状態の梱包箱の斜視図である。
【図６】同上、梱包箱の内壁面に当てがう為の一組の内壁板の斜視図である。
【図７】同上、内壁板の機能を示す為の、梱包箱の内側の部分斜視図である。
【図８】紙製パレットの縦断面構造の幾つかの変形事例を示した、各模式的縦断面図である。
【図９】先行技術のスペーサーの外観斜視図、及びそのコア材の斜視図である。
【符号の説明】
【００３１】
Ａ  紙製パレット
Ｂ  ズレ止用部材
１０  天板
１１  芯板
１２  囲い板
１３  被覆板
２０  底板
２１  側面板
２２  刳抜孔
２３  補強帯板
３０  スペーサー
３１  紙管
３２  筒状カバー体
３３  コ自形切れ目
３４  小突条
４０  矩形板紙
４１  ズレ止片
４２  差込片
ａ  継ぎ目
ｂ  差込孔
ｃ、ｄ  折り目
１００  梱包箱
１０１  側壁
１０２  斜め切れ目（切れ目）
２００  内壁板
２０１  ヒレ片
５０  先行技術のスペーサー
５１  コア材
５２  角筒状カバー体
【図１】
2005263259.tif 000003
【図２】
2005263259.tif 000004
【図３】
2005263259.tif 000005
【図４】
2005263259.tif 000006
【図５】
2005263259.tif 000007
【図６】
2005263259.tif 000008
【図７】
2005263259.tif 000009
【図８】
2005263259.tif 000010
【図９】
2005263259.tif 000011